(57)【要約】【課題】簡易な構造によって、流体を吸い込みながら、流体に含まれている毒性対象等を確実に分解又は不活化及び／又は死滅させて減消させつつ、毒性対象を減消させた後の流体を外部に排出することで徐々に且つ確実に毒性対象を減消させる手段を提供する。【解決手段】流体を吸い込む吸込部と流体を排出する排出部とを連通し、道程を非直線状に画成して直線距離よりも長く設定する流路と、上記流路内を流下する流体に含まれる対象物を分解及び／又は不活化及び／又は滅菌させる減消手段と、を具える。【選択図】図１
2020175258.tif 000002
【特許請求の範囲】
【請求項１】
流体を吸い込む吸込部と流体を排出する排出部とを連通し、道程を非直線状に画成して直線距離よりも長く設定する流路と、
上記流路内を流下する流体に含まれる対象物を分解及び／又は不活化及び／又は滅菌させる減消手段と、
を具えることを特徴とする毒性対象減消装置。
【請求項２】
前記吸込部側から前記排出部側に向って前記流路に沿って上記流体の流動を発生させる流動発生手段を具えることを特徴とする請求項１記載の毒性対象減消装置。
【請求項３】
前記流動発生手段は、軸流ファン、遠心ファン、斜流ファン、遠心軸流ファン、渦流ファン、横断流ファンの中から選択される少なくとも一以上のファン構造を具えることを特徴とする請求項２記載の毒性対象減消装置。
【請求項４】
前記流動発生手段は、前記吸込部及び／又は前記排出部近傍に配されることを特徴とする請求項３記載の毒性対象減消装置。
【請求項５】
前記流動発生手段は、一つ以上のファン構造を有し、
上記ファン構造が、単一の回転軸に固定されることを特徴とする請求項２乃至４の何れかに記載の毒性対象減消装置。
【請求項６】
前記流動発生手段は、一つ以上のファン構造と、回転軸と、駆動モータとを有することを特徴とする請求項２乃至４の何れかに記載の毒性対象減消装置。
【請求項７】
温度センサ、湿度センサ、人感センサ、汚れセンサの中の少なくともひとつのセンサを具え、
上記センサによる検出に基づいて、前記流動発生手段による流動を制御することを特徴とする請求項２乃至６の何れかに記載の毒性対象減消装置。
【請求項８】
前記流路は、所定方向に往復することを特徴とする請求項１乃至７の何れかに記載の毒性対象減消装置。
【請求項９】
前記所定方向は、水平方向及び／又は鉛直方向であることを特徴とする請求項８記載の毒性対象減消装置。
【請求項１０】
前記所定方向は、前記減消手段によって照射される紫外線に対して平行な方向であることを特徴とする請求項８又は９記載の毒性対象減消装置。
【請求項１１】
前記流路は、曲線状及び／又は蛇行状に延在する箇所を含むことを特徴とする請求項１乃至１０の何れかに記載の毒性対象減消装置。
【請求項１２】
前記曲線状に延在する箇所は、螺旋形状又は渦巻き形状を成すことを特徴とする請求項１１記載の毒性対象消装置。
【請求項１３】
前記流路は、前記吸込部と前記排出部との直線距離の整数倍以上の距離を有することを特徴とする請求項１乃至１２の何れかに記載の毒性対象減消装置。
【請求項１４】
前記流路は、流路画成手段によって構成されることを特徴とする請求項１乃至１３の何れかに記載の毒性対象減消装置。
【請求項１５】
前記流路画成手段は、前記減消手段の一部、筐体の内面の一部、案内板の何れか一つ以上を含んで構成されることを特徴とする請求項１４記載の毒性対象減消装置。
【請求項１６】
前記減消手段は、紫外線ランプ又は紫外線ＬＥＤを有することを特徴とする請求項１乃至１５の何れかに記載の毒性対象減消装置。
【請求項１７】
前記紫外線ランプは、円筒管で構成されることを特徴とする請求項１６記載の毒性対象減消装置。
【請求項１８】
前記減消手段は、前記紫外線ランプからの紫外線光を前記流路に向けて反射させる反射面を有し、
上記反射面は、楕円弧状の凹曲断面形状を有し、
前記紫外線ランプを、上記反射面の楕円弧を形成する楕円の焦点位置に配することを特徴とする請求項１７記載の毒性対象減消装置。
【請求項１９】
前記紫外線ＬＥＤは、略直線状に複数配設、又は面内に縦及び／又は横に整列して複数配設されることを特徴とする請求項１６記載の毒性対象減消装置。
【請求項２０】
前記減消手段は、前記流路と一体的に構成されることを特徴とする請求項１乃至１９の何れかに記載の毒性対象減消装置。
【請求項２１】
前記排出部は、前記吸込部による吸込領域に向けて流体を排出することを特徴とする請求項１乃至２０の何れかに記載の毒性対象減消装置。
【請求項２２】
前記排出部は、前記吸込部による吸込領域と異なる領域に向けて流体を排出することを特徴とする請求項１乃至２０の何れかに記載の毒性対象減消装置。
【請求項２３】
前記排出部によって排出される流体の流速は、前記吸込部によって吸込まれる流体の流速よりも遅いことを特徴とする請求項１乃至２２の何れかに記載の毒性対象減消装置。
【請求項２４】
前記排出部における流体の排出口面積は、前記吸込部における流体の吸込口面積よりも大きいことを特徴とする請求項１乃至２３の何れかに記載の毒性対象減消装置。
【請求項２５】
略筒形状の長尺形状の筐体を有し、
前記吸込部と前記排出部の内、一方が上記筐体の長手方向中央部よりも一端側に配され、他方が上記筐体の長手方向中央部よりも他端側に配されることを特徴とする請求項１乃至２４の何れかに記載の毒性対象減消装置。
【請求項２６】
前記吸込部が、高速吸込みを行い、
前記排出部が、低速排出を行うことを特徴とする請求項１乃至２０の何れかに記載の毒性対象減消装置。
【請求項２７】
前記吸込部が、低速吸込みを行い、
前記排出部が、高速排出を行うことを特徴とする請求項１乃至２０の何れかに記載の毒性対象減消装置。
【請求項２８】
前記吸込部は、広域から流体を吸込み得る吸込口を具えることを特徴とする請求項１乃至２７の何れかに記載の毒性対象減消装置。
【請求項２９】
前記吸込部は、単方位から流体を吸込み得る吸込口を具えることを特徴とする請求項１乃至２７の何れかに記載の毒性対象減消装置。
【請求項３０】
前記吸込部が、吸込んだ流体を噴流として前記流路に流下させることを特徴とする請求項１乃至２９記載の毒性対象減消装置。
【請求項３１】
前記排出部は、流体を広域に排出し得る排出口を具えることを特徴とする請求項１乃至３１の何れかに記載の毒性対象減消装置。
【請求項３２】
前記排出部は、流体を単方位に排出し得る排出口を具えることを特徴とする請求項１乃至３０の何れかに記載の毒性対象減消装置。
【請求項３３】
前記排出部は、一方向に向って延在する連続的又は断続的な排気口を具え、
上記排気口からの排気によってエアカーテンを生成することを特徴とする請求項１乃至３２の何れかに記載の毒性対象減消装置。
【請求項３４】
前記排出部は、ジェット噴流を排出し得ることを特徴とする請求項１乃至３３の何れかに記載の毒性対象減消装置。
【請求項３５】
前記流路は、紫外線透過性材料又は紫外線反射性材料によって構成されることを特徴とする請求項１乃至３４の何れかに記載の毒性対象減消装置。
【請求項３６】
前記流路を挟んで前記減消手段に対向する箇所に紫外線反射手段を配し、
上記紫外線反射手段は、前記減消手段から照射され前記流路を通過した紫外線を前記流路に向けて反射させることを特徴とする請求項１乃至３５の何れかに記載の毒性対象減消装置。
【請求項３７】
対象物を減消させる第二の減消手段を具え、
第二の減消手段は、流路内に電場を作成する電場作成手段、流路内を加熱する加熱手段及び／又はイオンを発生するイオン発生手段を有することを特徴とする請求項１乃至３６の何れかに記載の毒性対象減消装置。
【請求項３８】
前記流路には、流体に含まれる異物を捕集するフィルタが設けられていることを特徴とする請求項１乃至３７の何れかに記載の毒性対象減消装置。
【請求項３９】
前記流路には、流体に含まれる異物を流路内から分離するサイクロン部を有することを特徴とする請求項１乃至３８の何れかに記載の毒性対象減消装置。
【請求項４０】
装置周囲の空間を仕切るパーテーションを具えることを特徴とする請求項１乃至３９の何れかに記載の毒性対象減消装置。
【請求項４１】
前記毒性対象減消装置は、別体の器具に埋め込まれることを特徴とする請求項１乃至４０の何れかに記載の毒性対象減消装置。
【請求項４２】
別体の器具は、ルーフ、シート背もたれ、シートヘッドレスト、コンパネ、エアコン、テーブル、デスク、チェア、エレベータ、プラント、浄化槽、配管であることを特徴とする請求項４１記載の毒性対象減消装置。
【請求項４３】
前記流路は、同心状に複数の領域を区画するための案内板を前記流体の流動方向に複数間隔を存して配し、
前記案内板は、流体の往復方向に沿った一端部又は他端部に連通路を有し、
前記流路内の流体を、上記往復方向に沿って流動させつつ、上記連通路を介して径方向内側に流動させながら前記吸込部から前記排出部に向って流下させることを特徴とする請求項１乃至４２の何れかに記載の毒性対象減消装置。
【請求項４４】
前記案内板によって区画された各前記領域は、横断面積が等しく設定されることを特徴とする請求項４３記載の毒性対象減消装置。
【請求項４５】
前記案内板によって区画された前記領域は、横断面積が径方向内側に向かって狭くなるように設定されることを特徴とする請求項４３記載の毒性対象減消装置。
【請求項４６】
前記案内板によって区画された前記領域は、横断面積が径方向内側に向かって広くなるように設定されることを特徴とする請求項４３記載の毒性対象減消装置。
【請求項４７】
前記吸込部及び前記排出部は、周方向に沿って断続的に複数配され、
前記流路は、周方向に複数に仕切られ、同じ方向に向けられた前記吸込部と前記排出部とを連通し、
前記吸込部によって一方から吸い込んだ流体を、前記排出部を介して当該一方に向けて排出することを特徴とする請求項１乃至４６の何れかに記載の毒性対象減消装置。
【請求項４８】
前記減消手段は、前記流路によって囲繞される箇所に配されることを特徴とする請求項４７記載の毒性対象減消装置。
【請求項４９】
前記流体は、気体、液体及び／又は粉体であることを特徴とする請求項１乃至４８の何れかに記載の毒性対象減消装置。
【請求項５０】
前記毒性対象は、菌、ウイルス及び／又は有害分子であることを特徴とする請求項１乃至４９の何れかに記載の毒性対象減消装置。
【発明の詳細な説明】
【技術分野】
【０００１】
本発明は、毒性対象減消装置に関するものである。
【背景技術】
【０００２】
従来、イオンを発生させることでホコリ除去や消臭効果、除菌、抗ウイルス、防カビ等に効果を発揮する扇風機が提案されている（例えば、特許文献１参照）。このような扇風機は、ファンモータにイオン発生装置が内蔵されており、ファンモータのモータハウジングに設けられたイオン吐出口を通じてイオンをファンに供給している。
【０００３】
また、特許文献２に記載された扇風機は、スライドパイプの下側の支柱にイオン発生器を設け、送風体によって発生する風の流れを利用してイオン発生器から放出されたイオンを外部に放出している。
【０００４】
また、従来、流路を流れる流体を紫外線により殺菌する流体殺菌装置が知られており、直管と光源を備え、光源が、直管の端部に配置され、直管の内部に向けて紫外光を照射し、直管の内部を流れる水などの流体に対して殺菌処理を施している（例えば、特許文献３参照）。
【先行技術文献】
【特許文献】
【０００５】
【特許文献１】特開２００８−１２１５７９号公報
【特許文献２】特開２００３−２７２７９９号公報
【特許文献３】特開２０１７−０６４６１０号公報
【発明の概要】
【発明が解決しようとする課題】
【０００６】
上述した特許文献１、２に記載された扇風機は、風の流れを利用してイオンを外部に放出しているが、発生したイオン量が時間と共に減少するので、その結果、風の流れを利用しても部屋等の空間にイオンを充満させることは出来ない。従って、空間内に菌やウイルス等の人体に害を及ぼす毒性対象が存在していても、イオンによって毒性対象を確実に消滅や不活化、減消させるという効果を得ることが困難である。従って空間内における毒性対象が残存した状態で空気の流れを作ってしまうことになるが、この状態での扇風機による送風は、飛沫や中でも空間滞在時間が著しく長いとされる所謂マイクロ飛沫やエアロゾルに付着したウイルス等の毒性対象を室内空間に散乱、攪拌、拡散させてしまう。これによって病気の感染等を拡大させてしまうという問題がある。
また、特許文献３に記載された流体殺菌装置は、紫外線による殺菌のために、流体に所定以上の紫外線量を照射しなくてはならないため、直管の長さや大きさによっては殺菌が完了するまで、流体に紫外線を照射し続けることが非常に困難であるという問題がある。
【０００７】
本発明は、上記問題点に鑑みて本発明者の鋭意研究により成されたものであり、簡易な構造によって、流体を吸い込みながら、流体に含まれている毒性対象等を確実に分解又は不活化及び／又は死滅させて減消させつつ、毒性対象を減消させた後の流体を外部に排出することで徐々に且つ確実に毒性対象を減消させる手段を提供することを目的とする。
【課題を解決するための手段】
【０００８】
本発明の毒性対象減消装置は、流体を吸い込む吸込部と流体を排出する排出部とを連通し、道程を非直線状に画成して直線距離よりも長く設定する流路と、上記流路内を流下する流体に含まれる対象物を分解及び／又は不活化及び／又は滅菌させる減消手段と、を具えることを特徴とする。
【０００９】
また、本発明の毒性対象減消装置は、前記吸込部側から前記排出部側に向って前記流路に沿って上記流体の流動を発生させる流動発生手段を具えることを特徴とする。
【００１０】
また、本発明の毒性対象減消装置は、前記流動発生手段が、軸流ファン、遠心ファン、斜流ファン、遠心軸流ファン、渦流ファン、横断流ファンの中から選択される少なくとも一以上のファン構造を具えることを特徴とする。
【００１１】
また、本発明の毒性対象減消装置は、前記流動発生手段が前記吸込部及び／又は前記排出部近傍に配されることを特徴とする。
【００１２】
また、本発明の毒性対象減消装置は、前記流動発生手段が一つ以上のファン構造を有し、上記ファン構造が、単一の回転軸に固定されることを特徴とする。
【００１３】
また、本発明の毒性対象減消装置は、前記流動発生手段が一つ以上のファン構造と、回転軸と、駆動モータとを有することを特徴とする。
【００１４】
また、本発明の毒性対象減消装置は、温度センサ、湿度センサ、人感センサ、汚れセンサの中の少なくともひとつのセンサを具え、上記センサによる検出に基づいて、前記流動発生手段による流動を制御することを特徴とする。
【００１５】
また、本発明の毒性対象減消装置は、前記流路が所定方向に往復することを特徴とする。
【００１６】
また、本発明の毒性対象減消装置は、前記所定方向が水平方向及び／又は鉛直方向であることを特徴とする。
【００１７】
また、本発明の毒性対象減消装置は、前記所定方向が、前記減消手段によって照射される紫外線に対して平行な方向であることを特徴とする。
【００１８】
また、本発明の毒性対象減消装置は、前記流路が曲線状及び／又は蛇行状に延在する箇所を含むことを特徴とする。
【００１９】
また、本発明の毒性対象減消装置は、前記曲線状に延在する箇所が、螺旋形状又は渦巻き形状を成すことを特徴とする。
【００２０】
また、本発明の毒性対象減消装置は、前記流路が前記吸込部と前記排出部との直線距離の整数倍以上の距離を有することを特徴とする。
【００２１】
また、本発明の毒性対象減消装置は、前記流路が流路画成手段によって構成されることを特徴とする。
【００２２】
また、本発明の毒性対象減消装置は、前記流路画成手段が、前記減消手段の一部、筐体の内面の一部、案内板の何れか一つ以上を含んで構成されることを特徴とする。
【００２３】
また、本発明の毒性対象減消装置は、前記減消手段が紫外線ランプ又は紫外線ＬＥＤを有することを特徴とする。
【００２４】
また、本発明の毒性対象減消装置は、前記紫外線ランプが円筒管で構成されることを特徴とする。
【００２５】
また、本発明の毒性対象減消装置は、前記減消手段が前記紫外線ランプからの紫外線光を前記流路に向けて反射させる反射面を有し、上記反射面は、楕円弧状の凹曲断面形状を有し、前記紫外線ランプを、上記反射面の楕円弧を形成する楕円の焦点位置に配することを特徴とする。
【００２６】
また、本発明の毒性対象減消装置は、前記紫外線ＬＥＤが略直線状に複数配設、又は面内に縦及び／又は横に整列して複数配設されることを特徴とする。
【００２７】
また、本発明の毒性対象減消装置は、前記減消手段が前記流路と一体的に構成されることを特徴とする。
【００２８】
また、本発明の毒性対象減消装置は、前記排出部が前記吸込部による吸込領域に向けて流体を排出することを特徴とする。
【００２９】
また、本発明の毒性対象減消装置は、前記排出部が前記吸込部による吸込領域と異なる領域に向けて流体を排出することを特徴とする。
【００３０】
また、本発明の毒性対象減消装置は、前記排出部によって排出される流体の流速は、前記吸込部によって吸込まれる流体の流速よりも遅いことを特徴とする。
【００３１】
また、本発明の毒性対象減消装置は、前記排出部における流体の排出口面積は、前記吸込部における流体の吸込口面積よりも大きいことを特徴とする。
【００３２】
また、本発明の毒性対象減消装置は、略筒形状の長尺形状の筐体を有し、前記吸込部と前記排出部の内、一方が上記筐体の長手方向中央部よりも一端側に配され、他方が上記筐体の長手方向中央部よりも他端側に配されることを特徴とする。
【００３３】
また、本発明の毒性対象減消装置は、前記吸込部が、高速吸込みを行い、前記排出部が、低速排出を行うことを特徴とする。
【００３４】
また、本発明の毒性対象減消装置は、前記吸込部が、低速吸込みを行い、前記排出部が、高速排出を行うことを特徴とする。
【００３５】
また、本発明の毒性対象減消装置は、前記吸込部が広域から流体を吸込み得る吸込口を具えることを特徴とする。
【００３６】
また、本発明の毒性対象減消装置は、前記吸込部が単方位から流体を吸込み得る吸込口を具えることを特徴とする。
【００３７】
また、本発明の毒性対象減消装置は、前記吸込部が、吸込んだ流体を噴流として前記流路に流下させることを特徴とする。
【００３８】
また、本発明の毒性対象減消装置は、前記排出部が流体を広域に排出し得る排出口を具えることを特徴とする。
【００３９】
また、本発明の毒性対象減消装置は、前記排出部が流体を単方位に排出し得る排出口を具えることを特徴とする。
【００４０】
また、本発明の毒性対象減消装置は、前記排出部が一方向に向って延在する連続的又は断続的な排気口を具え、上記排気口からの排気によってエアカーテンを生成することを特徴とする。
【００４１】
また、本発明の毒性対象減消装置は、前記排出部がジェット噴流を排出し得ることを特徴とする。
【００４２】
また、本発明の毒性対象減消装置は、前記流路が紫外線透過性材料又は紫外線反射性材料によって構成されることを特徴とする。
【００４３】
また、本発明の毒性対象減消装置は、前記流路を挟んで前記減消手段に対向する箇所に紫外線反射手段を配し、上記紫外線反射手段は、前記減消手段から照射され前記流路を通過した紫外線を前記流路に向けて反射させることを特徴とする。
【００４４】
また、本発明の毒性対象減消装置は、対象物を減消させる第二の減消手段を具え、第二の減消手段は、流路内に電場を作成する電場作成手段、流路内を加熱する加熱手段及び／又はイオンを発生するイオン発生手段を有することを特徴とする。
【００４５】
また、本発明の毒性対象減消装置は、前記流路には、流体に含まれる異物を捕集するフィルタが設けられていることを特徴とする。
【００４６】
また、本発明の毒性対象減消装置は、前記流路には、流体に含まれる異物を流路内から分離するサイクロン部を有することを特徴とする。
【００４７】
また、本発明の毒性対象減消装置は、装置周囲の空間を仕切るパーテーションを具えることを特徴とする。
【００４８】
また、本発明の毒性対象減消装置は、別体の器具に埋め込まれることを特徴とする。
【００４９】
また、本発明の毒性対象減消装置は、別体の器具がルーフ、シート背もたれ、シートヘッドレスト、コンパネ、エアコン、テーブル、デスク、チェア、エレベータ、プラント、浄化槽、配管であることを特徴とする。
【００５０】
また、本発明の毒性対象減消装置は、前記流路が同心状に複数の領域を区画するための案内板を前記流体の流動方向に複数間隔を存して配し、前記案内板は、流体の往復方向に沿った一端部又は他端部に連通路を有し、前記流路内の流体を、上記往復方向に沿って流動させつつ、上記連通路を介して径方向内側に流動させながら前記吸込部から前記排出部に向って流下させることを特徴とする。
【００５１】
また、本発明の毒性対象減消装置は、前記案内板によって区画された各前記領域は、横断面積が等しく設定されることを特徴とする。
【００５２】
また、本発明の毒性対象減消装置は、前記案内板によって区画された前記領域は、横断面積が下流側に向かって狭くなるように設定されることを特徴とする。
【００５３】
また、本発明の毒性対象減消装置は、前記案内板によって区画された前記領域は、横断面積が下流側に向かって広くなるように設定されることを特徴とする。
【００５４】
また、本発明の毒性対象減消装置は、前記吸込部及び前記排出部が、周方向に沿って断続的に複数配され、前記流路は、周方向に複数に仕切られ、同じ方向に向けられた前記吸込部と前記排出部とを連通し、前記吸込部によって一方から吸い込んだ流体を、前記排出部を介して当該一方に向けて排出することを特徴とする。
【００５５】
また、本発明の毒性対象減消装置は、前記減消手段が、前記流路によって囲繞される箇所に配されることを特徴とする。
【００５６】
また、本発明の毒性対象減消装置は、前記流体が気体、液体及び／又は粉体であることを特徴とする。
【００５７】
また、本発明の毒性対象減消装置は、前記毒性対象が、菌、ウイルス及び／又は有害分子であることを特徴とする。
【発明の効果】
【００５８】
本発明によれば、簡易な構造によって、流体を吸い込みながら、流体に含まれている毒性対象等を確実に分解又は不活化及び／又は死滅させつつ、毒性対象を減消させた後の流体を毒性対象の存在可能性の低い領域の空間に向けて排出することで、当該空間内で毒性対象を拡散させること無く徐々に且つ確実に毒性対象を減消させることができる。
【図面の簡単な説明】
【００５９】
【図１】本発明の毒性対象減消装置の概略構成を示す図である。
【図２】本発明の毒性対象減消装置の一例を示す図である。
【図３】流路の構成例を示す図である。
【図４】流路の構成例を示す図である。
【図５】吸込部の配置例を示す図である。
【図６】排出部の配置例を示す図である。
【図７】紫外線光源の配置例を示す図である。
【図８】紫外線光源の配置例を示す図である。
【図９】紫外線光源に対する凹状反射部の配置例を示す図である。
【図１０】凹状反射部による紫外線の反射方向を示す図である。
【図１１】他の構成による毒性対象減消装置を示す図である。
【図１２】流路内における流体の流動向き及び紫外線の向きを示す図である。
【図１３】流動発生部の配置例を示す図である。
【図１４】他の構成による毒性対象減消装置の外観を示す図である。
【図１５】他の構成による毒性対象減消装置を示す断面図である。
【図１６】筐体を示す正面図である。
【図１７】流路部の外層部分を示し、（ａ）は平面図、（ｂ）は正面図である。
【図１８】流路部内部を示す断面図である。
【図１９】送風部を示す図であり、（ａ）は斜視図、（ｂ）は側面図、（ｃ）は断面図である。
【図２０】通気路における流体の流動方向を示す図である。
【図２１】毒性対象減消装置を示し、（ａ）は外観を示す図、（ｂ）は（ａ）のＡ−Ａ断面図である。
【図２２】毒性対象減消装置を示す断面図である。
【図２３】送風部７０を示す図である。
【図２４】紫外線光源の他の例を示す図である。
【図２５】他の構成による毒性対象減消装置を示す断面図である。
【図２６】サイクロン室を有する毒性対象減消装置の概略構成を示す図である。
【図２７】送風部の他の構成を示す図である。
【発明を実施するための形態】
【００６０】
以下に、本発明の毒性対象減消装置の実施形態について図を参照して説明する。図１は本発明の毒性対象減消装置１の概略構成を示す図である。毒性対象減消装置１は、流体を吸い込む吸込部２と、流体を排出する排出部４と、吸込部２と排出部４との道程を直線距離よりも長くするために非直線状に画成して連通する流路６と、流路６内を流下する流体に含まれる毒性の対象物に紫外線を照射して該対象物を減消（例えば、分解、不活化、滅菌等）させる紫外線光源８（減消手段）を具える。
なお、流体とは、気体、液体、粉体を含む概念であり、毒性対象とは、菌やウイルス等の病原微生物の他、有害分子を含んだホルムアルデヒドや亜硫酸ガス、亜硝酸ガス等を含むものであって少なくとも人体に対して毒性を有し、流体と共に移動する対象物である。
【００６１】
吸込部２は、装置外の流体を装置内に取り込むための開口やノズル等であって、排出部４は、装置内の流体を外部に排出するための開口やノズル等である。毒性対象減消装置１は、吸込部２から取り込んだ流体を流路６に沿って流動させると共に、紫外線光源８による紫外線の照射を行う。
これにより、流体中の毒性対象は、紫外線によって減消し、結果排出部４から排出される流体を介して人体に毒性対象の悪影響が及ぶことを防止できる。
なお、毒性対象減消装置１は、吸込部２を介して流体を取り込むために、図示しないファン等の流動発生手段を装置１内及び／又は装置１の外側に配するようにしてもよい。
【００６２】
図２は本発明の毒性対象減消装置１の一例を示す図であり、毒性対象減消装置１は、筐体１６を有し、筐体１６内に流路６や紫外線光源８を配している。筐体１６は、上下方向に離間して吸込部２と排出部４とを有する。即ち、筐体１６の外周下部を開口させて吸込部２が、上端面を開口させて排出部４が形成されている。なお、筐体１６と流路６とは一体であっても、別体であってもよい。筐体１６は、少なくとも流路６を囲繞し、紫外線光源８を収容し得る構成とすることが好ましいが、特に形状等を限定するものでもなく、円筒形状、円柱形状、直方体形状等があり得る。
【００６３】
流路６は、案内板１２ａ、１２ｂを流体が上下方向に往復的に流動し得るように配設する。即ち、流体が上下方向に往復するように上端部が筐体１６内の天部から離間した案内板１２ａと、下端部が筐体１６内の底部から離間した案内板１２ｂとが交互に配される。
流路６は、案内板１２ａ、１２ｂ、筐体１６の内面、紫外線光源８の一部を含んだ流路画成手段によって構成される。
【００６４】
紫外線光源８は、例えば、殺菌灯、紫外線ランプ、紫外線ＬＥＤ等のような紫外線を照射する光源であり、流路６内で広範に紫外線を照射する。例えば、紫外線光源８は、案内板１２ａ、１２ｂを横断する配置することができる。
【００６５】
紫外線光源８は、ターゲットである毒性対象の分解、不活化、消毒、除菌、殺菌、滅菌等の減消を行う。このような紫外線は、波長が２５０〜３００ｎｍであることが好ましく、２５０〜２７０ｎｍ近傍に設定することがより望ましい。勿論、紫外線は、少なくとも毒性対象を減消させ得るものであれば波長が２６０ｎｍ未満の近紫外線（ＵＶ−Ｃ）、遠紫外線（波長１０〜２００ｎｍ）、極端紫外線（波長１０〜１２１ｎｍ）等であってもよい。また、波長が３００ｎｍを超える近紫外線（ＵＶ−Ａ、ＵＶ−Ｂ）であってもよい。
【００６６】
また、紫外線光源８には、紫外線ＬＥＤ（Ｌｉｇｈｔ  Ｅｍｉｔｔｉｎｇ  Ｄｉｏｄｅ）を適用してもよい。このような紫外線ＬＥＤとして、例えば、窒化アルミニウムガリウム（ＡｌＧａＮ）を用いたもの等がある。紫外線ＬＥＤは、例えば、略直線状に複数配設、又は面内に縦及び／又は横に整列して複数配設して紫外線光源を構成することができる。
【００６７】
このような構成によれば、複数の向きで吸込部２から吸い込んだ流体それぞれに対して吸込部２から排出部４までを直線距離で直結している場合に比して毒性対象を減消させるのに十分な時間滞留させ、紫外線光源８からの紫外線を照射し続けることができる。このとき流体は、流路６に沿って往復的に流動することから、毒性対象が紫外線を曝される時間を延ばすことができる。また、往復的に流動によって毒性対象は、流体の流れによって紫外線光源８に対する向き（姿勢）が変化し得、結果様々な向きで紫外線に曝される。即ち、毒性対象が埃や塵の陰に存した場合でも、紫外線を照射でき確実に毒性対象を減消することができる。
【００６８】
［流路６の説明］
なお、流路６について、上下方向に流体を流動させる構成について説明したが、他の構成であってもよい。例えば、図３（ａ）に示す案内板１２を水平に複数配することで、流路６内で空気（流体）を水平方向に往復させてもよい。また図３（ｂ）に示すように、断面略Ｌ字形状の案内板１２を複数配することで、流路内で空気を水平方向及び上下方向に往復させながら流下させてもよい。また図３（ｃ）に示すように、各案内板１２を水平方向から傾斜させた向きにして並列させることで、流路内で空気を傾斜させた方向に往復させながら流下させてもよい。
【００６９】
また、流路６は、少なくとも、吸込部２と排出部４とを連通する道程を直線距離よりも長く設定し得るものであれば、曲線状や蛇行状に延在する箇所を含んで形成されていてもよく、また曲線状に延在する箇所が螺旋形状又は渦巻き形状を成すように形成してもよい。なお、流路６の長さは、例えば吸込部２と排出部４との直線距離の整数倍以上と設定し得る。また、吸込部２と排出部４を上下方向に離間させ且つ流路が上下方向に往復する場合は、流路６の長さを吸込部２と排出部４との直線距離の略奇数倍等と設定することができる。また、吸込部２と排出部４を上下方向に近接させ且つ流路が上下方向に往復する場合は、流路６の長さを吸込部２と排出部４との直線距離の略偶数倍等と設定することができる。
【００７０】
また、毒性対象減消装置１内に配する流路６の数は、適宜設定し得る。例えば、図４（ａ）に示すように紫外線光源８を挟んで一対の流路６を対向配置させたり、図４（ｂ）に示すように上下方向に複数の流路６を並べて配置させたりしてもよい。また、紫外線光源８を中心に周方向に複数の流路６を配置させてもよい。このように流路６を複数設ける場合、流路６毎に吸込部２及び排出部４を設けることができ、吸込部２同士（及び排出部４同士）を互いに同方向に向けてもよく、異なる方向に向けてもよい。
【００７１】
また、吸込部２の位置を筐体１６の外周下部として説明したが、吸込部２の位置は適宜設定し得、例えば、図５（ａ）に示すように筐体１６の外周の中途に配してもよく、図５（ｂ）に示すように上端部に配してもよい。また吸込部２を図５（ｃ）に示すように上端面や、図５（ｄ）に示すように下端面に配してもよい。
【００７２】
また、排出部４の位置を筐体１６の上端面として説明したが、排出部４の位置は適宜設定し得、例えば、図６（ａ）に示すように筐体１６の外周下部であって、吸込部２よりも下方に配してもよく、図６（ｂ）に示すように上端部に配してもよい。また排出部４は、図６（ｃ）に示すように筐体１６の外周の中途に配してもよく、図６（ｄ）に示すように筐体１６の下端面に配してもよい。従って、吸込部２と排出部４の位置は、上記図２に示す位置関係と逆の位置関係に設定してもよく、或いは別の位置関係に設定することができる。
【００７３】
また、流路６を構成する案内板１２及び、他の流路６を構成する部材は、紫外線透過性材料や、紫外線反射性材料によって構成することができる。ここで紫外線透過性材料としては、例えば、ガラス、石英（ＳｉＯ２）、サファイア（Ａｌ２Ｏ３）、ＰＴＦＥ等の非晶質のフッ素系樹脂、アクリル樹脂等があり得る。紫外線反射性材料は、拡散透過率が１％／１ｍｍ以上２０％／１ｍｍ以下であり、且つ紫外線領域における全反射率が６０％／１ｍｍ以上９９．９％／１ｍｍ以下であって、拡散透過率と紫外線領域における全反射率との和は９０％／１ｍｍ以上であることが好ましい。このような紫外線反射性材料としては、銀材、アルミニウム材、ポリテトラフルオロエチレン(polytetrafluoroethylene ＰＴＦＥ)、シリコン樹脂、内部に０．０５μｍ以上１０μｍ以下の気泡を含む石英ガラス、内部に０．０５μｍ以上１０μｍ以下の結晶粒を含む部分結晶化石英ガラス、０．０５μｍ以上１０μｍ以下の結晶粒状のアルミナ焼結体、及び０．０５μｍ以上１０μｍ以下の結晶粒状のムライト焼結体等のうちの少なくともいずれか一つを含むものがあり得る。
【００７４】
また、銀材、アルミニウム材を用いる場合、表面の酸化を防止する為、コーティングとして機能する薄膜を表面に施してもよい。この場合の薄膜は、アクリル樹脂、石英ガラス、ＰＴＦＥ等を用いることが出来る。尚、ＰＴＦＥで薄膜を形成する方法には、蒸着やスパッタリング等があり得る。また、筐体１６の内周も同様に紫外線透過性材料又は紫外線反射性材料によって構成することができる。また、案内板１２の表面、筐体１６の内面に、光触媒活性物質による膜を設けてもよい。即ち、紫外線の照射によって活性酸素を生じさせることで、殺菌、抗ウイルス、消臭、有機塩素化合物・ホルムアルデヒド等を分解による空気及び水の浄化等、毒性対象の減消を行うようにしてもよい。なお、光触媒活性物質としては、酸化チタン、酸化タングステン等がある。
【００７５】
［紫外線光源８の説明］
紫外線光源８は、流路６内に紫外線を照射可能であれば、形状、配置を適宜設定し得る。例えば紫外線光源８は、略長尺形状の蛍光管（円筒管）形態とすることができる。また、蛍光管形態の紫外線光源８を用いる場合でも、図７に示すように流路６内に複数配することで流動する流体に対し継続的な紫外線の照射を行うことができる。更に蛍光管様の紫外線光源８を用いることでも、流路６の一部として利用し得る。即ち、紫外線光源８は、流動方向に沿って配置することで、流体を案内すると共に流体に至近距離から紫外線を照射できる。
【００７６】
また、紫外線光源８は、図８（ａ）に示すように、底部に沿った位置や、図８（ｂ）に示すように上部に沿った位置等に配設してもよい。このような配置とすることでも、流路６内の広範囲に紫外線を照射できる。即ち、紫外線の照射方向が流路６における所定方向（例えば、往復方向）に平行な方向であるため、案内板１２によって紫外線が殆ど遮られることが無い。
【００７７】
勿論、紫外線光源８を、図８（ｃ）に示すように吸込部２近傍で、流体の往復方向に平行に延在するように配してもよく、図８（ｄ）に示すように排出部４近傍で、流体の往復方向に平行に延在するように配してもよい。この場合においても、紫外線光源８の長手方向の長さは、筐体１６内の流路６が形成されている高さ方向の範囲に沿って設定する。
【００７８】
但し、図８（ｃ）、（ｄ）に示す位置に紫外線光源８を配すると、紫外線が流体の往復方向と非平行な向きに照射することとなり、紫外線は案内板１２で遮られてしまう。従って、案内板１２を紫外線透過性の材料で構成することが望ましい。結果、紫外線は、案内板１２を透過して流路６の略全域を照射することができる。更に筐体１６の内面１６ａは、案内板１２を透過した紫外線が反射し得るように、紫外線反射性材料で構成してもよく、これによって流路６に向けて紫外線を反射させることができる。
【００７９】
勿論、紫外線光源８は、図８（ａ）に示す向きに対して平面視で９０°回転させた向き、長手方向の向きが上記の高さ方向及び横方向に直交する向きに配してもよいが、平面視で流体の流動と直交する方向に紫外線光源８が延びるため、紫外線の照射領域が狭まってしまう。そこで紫外線光源８を挟んで流路６に対向するように凹状反射部１８を配し、凹状反射部１８側に照射する紫外線を略全て流路６側に反射させる。
【００８０】
図９は紫外線光源８に対する凹状反射部１８の配置例を示す図である。凹状反射部１８は、凹曲面状の反射面を有し、該反射面を紫外線光源８に対向配置される。より具体的に凹状反射部１８は、楕円形の一部を成す曲面鏡であり、紫外線光源８を囲繞し、且つ紫外線光源８を挟んで流路６に対向配置される。凹状反射部１８は、反射面が成す楕円の焦点位置が紫外線光源８と重なるように、位置決めされる。このような、凹状反射部１８によれば、紫外線光源８からの紫外線を平行光束にして反射させることができる。
【００８１】
即ち、図１０に示すように、紫外線光源８を挟んで凹状反射部１８を流路６に向けることで、紫外線光源８から放射状に照射される紫外線の内、流路６の反対側等の流路６外に向う紫外線を流路６内に向けることが出来る。また、反射した紫外線は、平行光束となって流路６内における流体が往復する向きと略平行となり得る。これにより紫外線光源８から流路６の往復方向に沿った奥側まで紫外線が到達する。なお、紫外線反射面１８は、図１０に示すように流路６の下方に位置している場合、流路６の下端略全域に対向し得るように、対物有効径等が設定される。
【００８２】
また、蛍光灯様の紫外線光源８の場合、紫外線光源８から全周囲に向けて放射状に紫外線が照射されるため、流路６から外れた向きに紫外線を照射してしまう。そこで蛍光灯の一部に紫外線反射のための塗料等を塗布し、流路６外に向かう紫外線を強制的に流路６の方向に向けてもよい。
【００８３】
次に図１１を参照し、他の構成による毒性対象減消装置について説明する。図１１における毒性対象減消装置には、流体を上下方向に往復させる流路６が構成され、案内板１２が紫外線透過性材料によって構成され、筐体１６の内面が紫外線反射面によって構成される。また、紫外線光源８が排出部４近傍で筐体１６の内面に沿って上下方向に延在し且つ流路６を横断する方向に紫外線を照射するように配設される。
更に、毒性対象減消装置１は、吸込部２側から排出部４側に向って流路６に沿って流動を発生させる流動発生部１０（流動発生手段）を具える。
【００８４】
流動発生部１０は、流路６内の吸込部２近傍に配され、流体を流路６内で流動させるためのファン構造を具える。即ち、流動発生手段１０のファン構造は、回転軸周りに複数枚の羽根を設けたプロペラ、プロペラを駆動させるモータ（駆動源）等を有する。
【００８５】
ここで、図１２は流路６内における流体の流動向き及び紫外線の向きを示す図である。流動発生部１０が駆動することで、装置外の流体が吸込部２を介して流路６に進入する。流体は、図１２の矢印ａに示すように、上下方向に往復して排出部４から外部に排出される。即ち、流体は、案内板１２によって流動の方向が案内されて排出部４まで移動し外部に排出される。
【００８６】
紫外線光源８からの紫外線は、図１２の矢印Ｖで示すように、案内板１２を透過し、内面１６ａを照射する。即ち、紫外線光源８からの紫外線は、流路６の略全域に亘って照射される。また、内面１６ａが紫外線を反射するため、反射された紫外線は、再び流路６内を照射する。特に紫外線光源８に対向する位置の内面１６ａによって反射された紫外線は、そのまま紫外線光源８側に向かうので、流路６内の流体に対し、紫外線光源８側と内面１６ａ側の両方から紫外線を照射できる。
【００８７】
以上説明したように、流路６内に紫外線を照射し、且つ流路６の案内板１２が紫外線を透過するため、流体中の毒性対象を常時紫外線に曝すことができ、流体が流路６内を流動して排出部４から排出されるまでに確実に毒性対象を減消することができる。
【００８８】
また流路６は、上下方向に往復するため、吸込部２から排出部４まで直線的に流体が移動するよりも長い時間、流路６内を移動することとなり、毒性対象が紫外線に曝される時間が長くなってより確実な減消を行うことができる。また流体が往復的に流下するので毒性対象（特に微生物）は、流動向きが変わるときに、強制的に姿勢が変わって結果、種々の方向から満遍なく紫外線が照射される。これによっても毒性対象の減消効率の向上させることができる。
【００８９】
また、筐体１６の内面１６ａが紫外線反射性を有するため、紫外線光源８から流路６に照射された紫外線を反射して再び流路６内を照射する。即ち、流路６を挟んで紫外線光源８に対向する箇所（内面１６ａ）に紫外線反射手段が位置するので、紫外線光源８から照射され、流路６を通過した紫外線を流路６に向けて反射する。ここで、毒性対象を減消させる紫外線放射量は、放射照度（Ｗ／ｍ２）×照射時間（秒）によって表すことができる。本発明においては、内面１６ａで紫外線が反射して流路６内を照射するので、毒性対象に紫外線光源８側と内面１６ａ側の両方から挟むように紫外線を照射でき、紫外線の放射照度を向上させること、即ち、紫外線の空間密度を向上させることができる。結果、所定の紫外線放射量を毒性対象に照射するまでの照射時間を短縮でき、減消効率を更に向上させることができる。
【００９０】
なお、流動発生部１０には、流体を流動可能であれば、如何なるファン構造を適用してもよい。例えば、軸流ファン（プロペラファン）、斜流ファン、遠心ファン（多翼ファン、シロッコファン、ラジアルファン、プレートファン、ターボファン、リミットロードファン、エアフォイルファン等）、遠心軸流ファン、渦流ファン、横断流ファン（クロスフローファン等）等を適用することができる。
また、流動発生部１０に採用し得る軸流ファンとしては、軸方向に離間した二つのプロペラを有し、当該プロペラが互いに反対方向に回転する二重反転式ファンであってもよい。
【００９１】
また、流動発生部１０の配設位置は適宜設定し得、例えば、図１３（ａ）に示す流路内６で吸込部２近傍や、図１３（ｂ）に示す流路６途中や、図１３（ｃ）に示す流路６内の排出部４近傍等に配してもよく、また、図１３（ｄ）に示す流路６の外側で吸込部２近傍や、図１３（ｅ）に示す流路６の外側で排出部４近傍等に配してもよい。
また、流路６内で、吸込部２近傍と排出部４近傍等、複数箇所に流動発生部１０を配設してもよい。勿論、流路６外で、吸込部２近傍と排出部４近傍等、複数箇所に流動発生部１０を配設してもよく、流路６内外にそれぞれ流動発生部１０を配設してもよい。
【００９２】
次に図１４を参照して毒性対象減消装置の他の例について説明する。図１４は毒性対象減消装置２０の外観を示す図、図１５は毒性対象減消装置２０を示す断面図である。毒性対象減消装置２０は、人の集まる空間内に設置されて呼気又は呼気を含んだ流体としての空気を吸気し、吸気した空気中の毒性対象を減消させて排気する。また、毒性対象減消装置２０は、複数の方向からの呼気を吸込み可能に、複数の吸込部３４、流路部２４及び排出部３６を有する。
【００９３】
毒性対象減消装置２０は、略円筒形状の筐体２２を有し、筐体２２内に流路部２４、紫外線光源２６、送風部２８（流動発生手段）が配設される。また、筐体２２の天頂部には天部３０、底には底部３２が配設される。筐体２２の軸方向は、上下方向と略平行となるように向きが設定されるが、吸気に含まれる病原微生物等の毒性対象を死滅させるに足る時間を滞留させることが可能な流路部２４が形成されていればよく、特に限定されるものではない。例えば、吸込部３４から排出部３６までの直線距離よりも長い通気路４０（図１８参照）を構成するものであってもその役割を果たし得る。
【００９４】
図１６は、筐体２２を示す正面図である。筐体２２は、一端と他端を上下方向に間隔を存して配置される。また、筐体２２は、外周面の適宜の高さ位置に複数の吸込部３４、上端側に排出部３６を有する。具体的に吸込部３４は、下端側、即ち外周の高さ方向の適宜の中間部位乃至最下部までの下半部付近に位置する。また、筐体２２の内面は、紫外線を反射し得るように構成される。
【００９５】
また、排出部３６は、外周上端に位置し且つ空気の排出方向が鉛直方向に対して斜め４５°の上方に傾けた向きとなるように設定される。更に、水平方位としては、吸込部３４と排出部３６とを同方位に設定するが、勿論、吸込部３４と排出部３６との水平方位が一致していなければならないというものではなく、また排出部３６の傾斜角度も４５°に限定されるものではない。
【００９６】
なお、吸込部３４と排出部３６の位置は逆の位置関係でもよく、或いは別の配置であってもよいが、少なくとも設置対象空間に対する毒性対象減消装置２０の設置位置において、人の呼気や排気の溜まり易い位置に吸込部３４を位置させる。なお、排出部３６の位置及び／又は排気向きは、適宜設定し得るが、例えば、吸込部３４による吸込領域に向けて排気を行うように排出部３６の位置や排気向きを設定してもよい。また、設置対象空間において、吸気を行う人に悪影響を及ぼさない場所、例えば人の居ない領域に向けて排気を行うように排出部３６の位置や排気向きを設定してもよく、排気方向を調整可能としてもよい。
【００９７】
図１７は、流路部２４の外層部分を示し、（ａ）は平面図、（ｂ）は正面図である。図１８は、流路部２４内部を示す断面図である。流路部２４は、略円柱状の部材内に複数の通気路４０を有している。また、流路部２４は、径方向に離間して複数配される案内板４１、設置用空間４２、仕切板４４を具える。通気路４０は、設置用空間４２囲繞するように周方向に配列され、取り込んだ空気を軸方向と平行な方向に往復、流下させながら所要時間以上、毒性対象減消装置２０内に滞留させる流路を形成する。
【００９８】
ここで、所要時間とは、吸気した空気に含有され得る、マイクロ飛沫やエアロゾル等に付着した菌類やウイルス類等の病原微生物を紫外線照射によって十分に死滅させるに足る時間や有毒分子を分解するのに足る時間等を指す。勿論この時間は、単位時間当たりに流下させる空気の量に関係するものであり、この空気量は吸込口から単位時間当りに吸気する量と換言可能である。
【００９９】
この吸気量は、人の単位時間当たりの排気量同等以上に設定することが好ましい。即ち、吸気量としては、人の１分間当りの吸気量が５〜８リットルであることから少なくとも８リットル／分以上に設定することが好ましい。そして、通気路４０内を流下する空気に対する紫外線照射によって毎分８リットル以上が滅菌されるように通気路４０内に適宜の時間滞留させて紫外線を照射するものとする。
【０１００】
案内板４１は、環状を有する板状部材であって、通気路４０を同心円状に離隔するように複数配列される。案内板４１は、上下端の何れか一方に空気を流動させる開口を有し、該開口を介して空気を下流側（排出部３６側）へと流動させる。
換言すれば、通気路４０には、図１８に示すように略同心円状の案内板４１が軸心から離間する方向に間隔を存して配設され、それら該案内板４１の上端又は下端がそれぞれ交互に隣接する略同心状の該通気路間を連通させる。これにより、吸込まれた空気を上下方向に沿って往復的に変位させつつ、半径方向にも変位させて排出部３６に向けて流下させる。
【０１０１】
設置用空間４２は、本実施形態において流路部２４の中央部に形成される空間であって、紫外線光源２６を配設する。従って、紫外線光源２６が通気路４０内に存することで流路の一部として機能する。仕切板４４は、通気路４０を周方向に沿って複数に分割する。具体的には、流路部２４の軸心から放射方向に延在するように複数の仕切板４４が周方向に沿って所定間隔を存して配置される。従って、仕切板４４が各通気路４０の周方向に沿った空間を画定する。
【０１０２】
従って、仕切板４４間には各々独立した通気路４０が形成され、各通気路４０に進入してきた空気は、図１８中の矢印に示すように、流路部２４の径方向外側から上下方向に往復しながら、徐々に径方向内側に向かって流動し、流路部２４の中央部、即ち紫外線光源２６近傍を通って排出部３６から外部に排出される。
また、仕切板４４は、流路部２４の軸方向の一端（図１８に示す上端）がテーパ形状を成し且つ流路部２４の上端よりも突出し、天部３０を支持すると共に、排出部３６の一部として空気の排出向きを画定するように機能する。
【０１０３】
送風部２８は、所謂プロペラ様の形状を有し、図１９に示すように、筐体２２の軸心周りに回転する回転体５０、回転体５０の外周面に形成された複数の羽根５２、駆動伝達部５４等を有する。回転体５０は、筐体２２内で流路部２４を囲繞し得る筒形状を有する。羽根５２は、吸込部３４と案内板４１との間に配される。羽根５２は、回転により吸込部３４から通気路４０を介して排出部３６に向かう流体の流動を発生させる。駆動伝達部５４は、回転体５０の一端に形成され、不図示のモータからの駆動を回転体５０に伝達する。
【０１０４】
なお、送風部２８で発生させる流動による吸込部３４を介した吸気量は、毒性対象減消装置２０の設置環境等によって適宜設定されるものである。例えば、オフィス等のような人の集まる部屋に設置する場合、部屋の定員又は当該装置２０の周囲に存する人数の総吸気量に相当するように吸気量を設定してもよい。従って、四人分の呼気を略全て吸込み得る吸気量を設定する場合、吸気量が２０〜３２Ｌ（勿論、３２Ｌ以上であってもよい。）となるように、回転体５０の回転数や、羽根５２の大きさや形状等を設定する。
【０１０５】
天部３０は、略円錐形状を成し、円錐の傾斜面又は先端部を仕切板４４に当接させ、仕切板４４に支持される。これによって、筐体２２の他端側に排出部３６が形成される。即ち、仕切板４４の一端部が流路部２４の状態から突出し、該仕切板４４の一端によって天部３０が支持されることで、天部３０と排出部３６との間に間隙が形成される。従って、通気路４０内を流動している空気は、排出部３６から天部３０の傾斜面に沿った角度で排気される。
底部３２は、筐体２２の下部を閉塞するように着脱可能に設置され、例えば、底部３２を取り外すことで送風部２８を動作させるための不図示の駆動モータやバッテリ等を筐体２２下部に配設してもよい。
【０１０６】
このような毒性対象減消装置２０によれば、送風部２８が駆動することで吸込部３４を介し、通気路４０内に毒性対象を含む空気を取り込むことができる。通気路４０内に流入した空気は、上下往復しながら徐々に流路部２４の半径方向中心に向かって流下し、排出部３６から排出される。
【０１０７】
また、通気路４０が複数形成されているため、同時に複数の方向からの空気を取り込んで排出することができる。このとき、平面視で吸込部３４を介して一方向から吸い込んだ空気を排出部３６を介して当該一方向に向けて排出する。即ち、図２０に示すように毒性対象減消装置２０の左側においては、左側に向けた吸込部３４から取り込んだ空気を半径方向外側から内側に向って上下方向に往復させながら流動させ、排出部３６から左方に向けて排出する。
同様に、毒性対象減消装置２０の右側においては、右側に向けた吸込部３４から取り込んだ空気を半径方向外側から内側に向けて上下方向に往復させながら流動させ、排出部３６から右方に向けて排出する。
【０１０８】
このとき、排出部３６は、筐体２２の最上部に設けられ、軸中央に最も近い、即ち最内層の通気路４０の上端と、逆円錐状の天部３０の下面とによって画成される。従って排出部３６から排出される空気は、斜めに上方に向って放射状に吹き出される。
従って、人の呼気や排気が溜まり易い、口腔や鼻腔等の呼吸器の在る高さ位置の近傍に位置される吸込部３４に対して十分に高い位置に配置されている排出部３６から斜め上方に向かって排出される空気は、口腔や鼻腔よりも高い位置に向かって空気を排出でき、また当人の呼気や排気が溜りやすい領域の気流を乱すことを抑制できる。
【０１０９】
また、紫外線光源２６によって装置内部の略全域に紫外線を照射する。即ち、通気路４０内を流動する空気に対して、紫外線光源２６による紫外線を照射しており、紫外線は、案内板４１を透過して放射方向に拡がりながら筐体２２の内面で反射する。
従って、空気中に含まれる毒性対象が塵埃等に隠れてしまっていてもあらゆる方位から略満遍なく紫外線を照射でき、隠れた毒性対象を減消させることが可能である。
【０１１０】
以上説明したように、毒性対象減消装置２０によっても空気中の毒性対象を減消させることができる。即ち、照射した紫外線が案内板４１を透過して流路部２４全域に拡がり、通気路４０内で流動している空気中の毒性対象を常時照射する。従って、空気に含まれている毒性対象を、排出部３６に至るまでに略減消させることができる。また、吸込部３４によって毒性対象の存在可能性の高い領域の空気を吸い込ませれば、当該吸込領域の空気を部分的に吸い込みながら、吸い込んだ空気に含まれている毒性対象を確実に減消させつつ、減消後の空気を吸込領域と異なる領域であって、毒性対象の存在可能性の低い領域の空間に向けて排出することで、空間内の空気を殆ど攪拌することなく徐々に且つ確実に空間内に存在する毒性対象を減消させることができる。
【０１１１】
また、流路部２４を透過した紫外線は、筐体２２の内面で反射して再び流路部２４内を照射するので、通気路４０内の毒性対象に照射する紫外線量が増加すると共に、複数方向から紫外線を照射できる。また、流動する毒性対象は、上下方向に往復的に流下することから向きも不定であることもあって満遍なく紫外線を浴びることになり、結果、紫外線による毒性対象の減消効率を向上させることができる。
【０１１２】
また、通気路４０が軸方向に沿って往復した経路をとっているので、毒性対象が通気路４０を移動する距離が長くなり、毒性対象が流動している時間が長くなる。このことも毒性対象に照射される紫外線量の増加に繋がるため、減消効率を向上させることができる。
【０１１３】
また、複数の通気路４０を周方向に配設したことで、毒性対象減消装置２０を中心とした周囲の毒性対象の減消を行うことができる。また、平面上の一方向から吸い込んだ空気を当該平面上の一方向に向けて排出するので、例えばウイルスに感染している人の呼気を吸い込んだ場合は、当該呼気を含む空気を当該人側に排出する。従って、通気路４０を介してウイルスの不活化を行うことに加え、更にウイルス感染者の呼気を含んだ空気が当該感染者以外の人に向うことが無いので、個々人に他者からのウイルス感染等に対する不安を感じさせることが無く、安心感を与えることができる。
【０１１４】
なお、筐体２２の向きはこれに限定されるものではなく、横置き、即ち軸方向が水平となるように配してもよい。
【０１１５】
また、筐体２２の内面を紫外線反射性材料をよって構成するものとしたが、流路部２４の最外層、即ち径方向の最も外側に位置する案内板４１を紫外線反射性材料によって構成してもよい。或いは、当該案内板４１の紫外線光源に対向する面に紫外線反射性を付与するようにしてもよい。
【０１１６】
次に、他の構成の毒性対象減消装置５０について説明する。なお、上記と同様の構成については、同一の符号を付して説明する。図２１は毒性対象減消装置５０を示し、（ａ）は外観を示す図、（ｂ）は（ａ）のＡ−Ａ断面図である。毒性対象減消装置５０は、略円筒形状の筐体５２を有し、筐体５２には、外周下端部に吸込部６０、外周上端部に排出部６２が直接的に形成される。また筐体５２は、紫外線光源２６を内部に挿入するための上端開口が天部５４によって閉塞される。
【０１１７】
また、図２１（ｂ）に示すように、筐体５２内部は、仕切板４４によって周方向に四分割される。即ち、筐体５２内には、周方向に四つの通気路４０が配設される。また、設置用空間４２には四本の紫外線光源２６が挿入され、各通気路４０と対となるように各紫外線光源２６の設置用空間４２内での位置が設定される。
また、設置用空間４２には、送風部７０（図２２参照）の回転軸７２が、各紫外線光源２６からの紫外線を妨げない位置、即ち、筐体５２の軸心位置に一致するように配設される。
【０１１８】
図２２は毒性対象減消装置５０を示す断面図である。筐体５２内には流路部６４及び送風部７０等が配設される。流路部６４は、流体を径方向に往復させつつ、徐々に軸方向に沿って流下させる通気路６６を画成する。具体的には、筐体５２内には、板状の案内板６８がその面を直交方向に向け、且つ軸方向に沿って複数配設される。
案内板６８は、筐体５２の径方向の外側又は内側に開口を有する。具体的に案内板６８には、案内板６８によって区画された軸方向に隣接する空間を連通させるための開口が形成される。開口の位置は、隣り合う案内板６８同士で、径方向内側と径方向外側とが交互に並ぶように設定される。
【０１１９】
図２３は、送風部７０を示す図である。送風部７０は、縦長の板状の羽根７４を複数筒状に並べて成る遠心ファン構造を有し、回転軸を筐体５２の軸方向に一致させて排出部６２近傍に配設される。また送風部７０は、軸方向に延びる回転軸７２の一端に固定されている。なお回転軸７２の他端は、底部３２側に配される不図示のモータ等に連結される。
このような構成によれば、紫外線光源２６から直接紫外線を案内板６８間の空間に照射できるため、紫外線透過性材料で案内板を形成することなく、通気路６６の略全域に紫外線を照射することができる。
【０１２０】
なお、上記の毒性対象減消装置５０は、四本の紫外線光源を配するものとして説明したが、紫外線光源は、放射状に紫外線を照射するので、回転軸７２に紫外線を照射し得る。そこで、紫外線光源の蛍光管表面（又は内面）の一部に紫外線反射性の塗料等によって紫外線反射面を設け、回転軸７２側に照射されてしまう紫外線を全て通気路側に向けてもよい。このようにすれば、通気路内の紫外線量が増加し、毒性対象の減消性を向上させることができる。
【０１２１】
また、設置用空間４２内に、四本の紫外線光源２６と回転軸７２を配したが、一本の紫外線光源と回転軸７２を配するようにしてもよい。その場合、紫外線光源をトーラス状の断面形状の蛍光管形状とし、中央の空洞に回転軸７２を挿通させる。即ち、図２４に示すように、径方向に離間した内側環状面８２ａと外側環状面８２ｂとを有する柱状の紫外線光源８０を設け、内側環状面８２ａと外側環状面８２ｂとの間で紫外線発光を行うようにする。このようにすれば、内側環状面８２ａよりも軸心側に空間を形成することができ、当該空間に回転軸７２を配することができる。
【０１２２】
また、回転軸７２の一端に送風部７０を配した場合を例に説明したが、単一の回転軸７２に複数の送風部７０を固定してもよく、例えば、図２７（ａ）に示すように回転軸７２の一端と中途部位にそれぞれ送風部７０を配するようにしてもよく、また図２７（ｂ）に示すように回転軸７２の一端（上部）に駆動モータＭを連結し、他端と中途にそれぞれ送風部７０を配するようにしてもよい。このようにすれば、一つの駆動モータＭで回転軸７２を回転させることで両送風部７０を駆動することができる。勿論、送風部７０毎に駆動モータＭ及び回転軸７２を配してもよく（図２７（ｃ）参照）、両軸モータに二本の回転軸７２を連結させて各回転軸７２にそれぞれ送風部７０を固定して配してもよい。
【０１２３】
また、勿論、毒性対象減消装置５０は、設置用空間４２に回転軸を挿入しないように構成してもよい。例えば、図２５に示すように、設置用空間４２の外側で送風部７０に隣接する位置にファン構造を駆動させるモータ９０を配するようにすればよい。
【０１２４】
なお、毒性対象減消装置に、異物を回収するためのフィルタを設けてもよい。即ち、流体を取り込むときに流体と共に、塵埃等の異物が混入することがあって吸込部や流路中途に異物が堆積することがあるので、フィルタを設けることで異物を捕集してもよい。勿論、フィルタは目詰まりしたときに交換し得るように取り外し可能な構成として配することが好ましい。
また、フィルタとしては、空気中の塵埃の捕集を目的とする場合、例えば、主に５０μｍ以上の粒子を捕集する粗塵用フィルタ、主に２５μｍ以上の粒子を捕集する中高性能フィルタ（ＭＥＰＡフィルタ）、０．３μｍの粒子を捕集するＨＥＰＡフィルタ、０．１５μｍの粒子を捕集するＵＬＰＡフィルタ等があり得る。
【０１２５】
また、サイクロンによる粉体分離を利用して空気中の塵埃を分離するサイクロン室を設けるようにしてもよい。即ち、図２６の概略構成を示す図に示すように、サイクロン室１００は、逆円錐形状を有し、下部に塵埃を集積する集塵部１０２を具え、吸込部２と流路６との間に配設する。これにより、吸込部２を介して流入した空気が先ずサイクロン室１００で渦巻状に滞留し、流路６へと流動していく。このとき、塵埃がサイクロン室１００の内周面に当接して集塵部１０２に落下し集積される。これによって、空気中から塵埃を分離することができる。
【０１２６】
また、サイクロン室内においても、紫外線光源に相当する一体及び／又は別体の光源をサイクロン室内等に配して紫外線を照射してもよく、或いはサイクロン室を紫外線透過性材料等で構成して紫外線光源から直接紫外線を照射するようにしてもよい。
【０１２７】
また、流路は、案内板によって挟まれる各空間の横断面積が等しくなるように設定してもよい。即ち、
流路の流動方向の上流から下流にかけて設けられた案内板により区画された領域毎の横断面積が全て等しくなるように設定してもよい。このようにすれば吸込部での流速と、排出部での流速とを略等しくすることが可能となる。
【０１２８】
また、流路は、案内板によって挟まれる各空間の横断面積が流動方向の下流側に向って縮小するように設定してもよい。即ち、案内板により区画された領域毎の横断面積が、下流側に向って漸次縮小するように設定してもよい。このようにすれば流路を流下する流体の流速が、徐々に速くなるように構成することができる為、吸込部での流速よりも速い流速で排出部から流体を排出することができる。
【０１２９】
また、流路は、案内板によって挟まれる各空間の横断面積が流動方向の下流側に向って拡大するように設定してもよい。即ち、案内板により区画された領域毎の横断面積が、下流側に向って漸次拡大するように設定してもよい。このようにすれば流路を流下する流体の流速が、徐々に遅くなるように構成することができる為、吸込部での流速よりも遅い流速で排出部から流体を排出することができる。なお、流速を遅くすれば、流体の排出によって、周囲の気流を乱すことを抑制することができる。
【０１３０】
また、排出部における流体の排出口面積を吸込部における流体の吸込口面積よりも大きくなるように、設定してもよく、このようにすれば、吸込部での流速よりも排出部の流速を遅くすることができる。このように、吸込部における吸込口と排出部における排出口との開口の大きさを変えれば、吸込部が高速吸込みを行い、排出部が低速排出を行うように設定することができる。
また、排出部における流体の排出口面積を吸込部における流体の吸込口面積よりも小さくすれば、吸込部が、低速吸込みを行い、排出部が、高速排出を行うように設定することができる。
【０１３１】
また、吸込部において、流体を吸込み可能な吸込口の形状は、適宜設定し得る。例えば、吸込部は、広域から流体を吸込み得るように、開口が拡開形状を有する吸込口を具えることができる。また、吸込部は、単方位から流体を吸込み得るノズル形状や流動方向に沿って開口が狭まる吸込口を具えることができる。また、ノズル形状や流動方向に沿って狭まる吸込口を設けることで、吸込んだ流体を噴流として流路に流下させることもできる。
【０１３２】
また、排出部において、流体を排出可能な排出口の形状は、適宜設定し得る。例えば、排出部は、流体を広域に排出し得るように、開口が拡開形状を有する排出口を具えることができる。また、排出部は、流体を単方位に排出し得るノズル形状や、流動方向に沿って開口が狭まる排出口を具えることができる。
また、排出部は、一方向に向って延在する連続的又は断続的な排気口を具え、当該排気口から流体としての空気の排気により、エアカーテンを生成するようにしてもよい。また、排出部は、ジェット噴流を排出し得るようにしてもよいことは言うまでもない。
【０１３３】
なお、本発明の毒性対象減消装置は、周囲の空気を取り込んで空気中の病原微生物の不活化、滅菌等を目的として利用する場合には、例えば、オフィス、会議室、飲食店、ショールーム、図書館、学校、幼稚園、保育園、商店、娯楽施設（カラオケボックス、水族館、プラネタリウム、映画館、美術館、博物館、ボウリング場等）、乗り物（車、飛行機、船、電車）等の人の集まる空間或いは人が密集し易い空間に設置することができる。
また、液体としての流体を取り込んで毒性対象の減消を行う、所謂汚染水の浄化等を目的として利用する場合には、例えば、プラント、浄化槽、配管、配管同士の連結部分等に設置することができる。
【０１３４】
また、本発明の毒性対象減消装置は、別体の器具に埋め込んだり、組み込んだり、組み合わせたりして使用してもよい。対象となる器具は、少なくとも、吸込部及び排出部が外部と連通していれば、適宜選択し得るが、例えば、乗り物のルーフや、シートの背もたれ、シートヘッドレスト、コンパネ、エアコン、掃除機、テーブル、デスク、椅子、壁、エレベータ等が有り得る。特に、上記の人の集まる空間或いは人が密集し易い空間に設置されている器具に埋め込んで使用することができる。
【０１３５】
なお、筐体は、複数の部材によって構成してもよく、例えば軸方向或いは周方向に分割し得るように構成してもよい。また、筐体と流路部とを一体成形することも可能であるが、勿論筐体と流路部とが別体であってもよい。
【０１３６】
また、毒性対象の減消を紫外線の照射により行ったが、更に毒性対象を減消し得る程度に流路内を加熱する加熱手段や、局所的にミクロな放電現象を発生させたり、対向配置した一対の正負電極によって電極に毒性対象（特に病原微生物）を吸着させたりする電場を流路内に作出し、毒性対象を減消し得る電場作出手段を設けてもよい。勿論、紫外線光源に代えて、加熱手段及び／又は電場作出手段を配して毒性対象の減消を行うようにしてもよい。
【０１３７】
また、筐体は、外周面と一体的又は外周面に装着可能なパーテーションを配してもよい。パーテーションと組み合わせることで人の集まる空間又は人が密集する空間において、装置周囲の空間を仕切ると共に、仕切られた空間外に、毒性対象を減消させた空気を排出することを防止することができる。
【０１３８】
また、毒性対象減消装置は、温度センサ、湿度センサ、人感センサ、汚れセンサの中の少なくともひとつのセンサを具え、センサによる検出に基づいて、流動発生手段による流動を制御してもよい。例えば、センサによって周囲に人の存在を検知しているときに、流動発生手段の動作を行うようにしてもよい。また、流動発生手段の停止は、センサが人を検知しなくなったとき、流動発生手段が動作を行ってから所定時間を経過したとき等とすることができる。
【符号の説明】
【０１３９】
１，２０，５０…毒性対象減消装置、２，３４…吸込部、４，３６…排出部、６…流路、８，２６…紫外線光源、１０…流動発生部、１２，４１…案内板、１６，２２…筐体、１８…凹状反射部、２４…流路部、２８，７０…送風部、３０…天部、３２…底部、４０…通気路、４２…設置用空間、４４…仕切板、５０…回転体、５２…羽根、５４…駆動伝達部、７２…回転軸。
【図１】
2020175258.tif 000003
【図２】
2020175258.tif 000004
【図３】
2020175258.tif 000005
【図４】
2020175258.tif 000006
【図５】
2020175258.tif 000007
【図６】
2020175258.tif 000008
【図７】
2020175258.tif 000009
【図８】
2020175258.tif 000010
【図９】
2020175258.tif 000011
【図１０】
2020175258.tif 000012
【図１１】
2020175258.tif 000013
【図１２】
2020175258.tif 000014
【図１３】
2020175258.tif 000015
【図１４】
2020175258.tif 000016
【図１５】
2020175258.tif 000017
【図１６】
2020175258.tif 000018
【図１７】
2020175258.tif 000019
【図１８】
2020175258.tif 000020
【図１９】
2020175258.tif 000021
【図２０】
2020175258.tif 000022
【図２１】
2020175258.tif 000023
【図２２】
2020175258.tif 000024
【図２３】
2020175258.tif 000025
【図２４】
2020175258.tif 000026
【図２５】
2020175258.tif 000027
【図２６】
2020175258.tif 000028
【図２７】
2020175258.tif 000029
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
流体を吸い込む吸込部と流体を排出する排出部とを連通し、道程を非直線状に画成して直線距離よりも長く設定する流路と、
上記流路内を流下する流体に含まれる毒性対象を分解及び／又は不活化及び／又は滅菌させる紫外線ランプと、
上記吸込部側及び／又は上記排出部側に配置され、上記流路に沿って上記流体の流動を発生させるファンと、を備え、
上記流路は、紫外線ランプによって照射される紫外線に対して平行な方向で、曲線状又は蛇行状に延在して、上記吸込部と上記排出部との直線距離の２倍以上の道程を有することを特徴とする毒性対象減消装置。
【請求項２】
前記紫外線ランプは、円筒管で構成され、前記流路が紫外線ランプを囲むように配置されることを特徴とする請求項１に記載の毒性対象減消装置。
【請求項３】
前記紫外線ランプからの紫外線光を前記流路に向けて反射させる反射面を有することを特徴とする請求項１又は請求項２に記載の毒性対象減消装置。